(57)【特許請求の範囲】
【請求項１】
送泥管を介してシールド掘進機のシールドチャンバーへ泥水を供給しつつ、排泥管を介して前記シールドチャンバー内の泥水を掘削土砂とともに排出してトンネルを掘削する泥水式シールド工法において、
前記排泥管の最も上流側に第１の排泥ポンプを配設し、
該第１の排泥ポンプの下流側に位置する後方台車上に第１の圧力調整タンクおよび大容量の高揚程ポンプを載置して前記排泥管に接続するとともに、
前記排泥管の立坑部分に第２の圧力調整タンクおよび第２の排泥ポンプを施設することにより、
前記大容量の高揚程ポンプより後方の坑内領域から中継ポンプを排除して排泥水を輸送することを特徴とする排泥水の輸送方法。
【請求項２】
請求項１において、
前記高揚程ポンプを複数並列に配設することを特徴とする排泥水の輸送方法。
【請求項３】
請求項１または２において、
前記第１の排泥ポンプ、第２の排泥ポンプ、あるいは高揚程ポンプの少なくともいずれかのポンプの下流位置の排泥管に流速計を配設し、該流速計の検出結果に基づいて、対応する前記いずれかのポンプの吐出圧を制御して前記流速計配設位置の排泥水の流速が一定となるようにしたことを特徴とする排泥水の輸送方法。
【請求項４】
請求項１〜３のいずれかの方法を用いたトンネル施工方法であって、
中継ポンプを排除した前記高揚程ポンプ後方の坑内領域に資材搬送空間を確保し、この資材搬送空間を用いて資材を搬送することを特徴とするトンネル施工方法。
【請求項５】
請求項１〜３のいずれかの方法を用いたトンネル施工方法であって、
中継ポンプを排除した前記高揚程ポンプ後方の坑内領域に配管搬送空間および配管空間を確保し、この配管搬送空間を用いて配管を搬送すると共に、配管空間を用いて搬送した配管をトンネルの掘削と同時進行させて接続することを特徴とするトンネル施工方法。
【請求項６】
請求項１〜３のいずれかの方法を用いたトンネル施工方法であって、
中継ポンプを排除した前記高揚程ポンプ後方の坑内領域に二次覆工作業空間を確保し、この二次覆工作業空間を用いてトンネルの掘削と並行して二次覆工施工を行うことを特徴とするトンネル施工方法。
【発明の詳細な説明】
【０００１】
【発明の属する技術分野】
本発明は、泥水式シールド工法における排泥水の輸送方法およびトンネル施工システムに関し、特にトンネル径が小さい場合に有効な泥水式シールド工法における排泥水の輸送方法およびトンネル施工方法に関する。
【０００２】
【背景技術】
周知のように、泥水式シールド工法では、シールド掘進機のカッターにより削り取られシールドチャンバー内に取り込まれた土砂が、送泥管を介して供給される泥水と攪拌され、排泥管を介し外部へ排出される。
【０００３】
このような泥水式シールド工法では、前記泥水をシールドチャンバー、排泥管内において安定液として機能させることが必要とされる。このため送泥管からシールドチャンバー内に供給される泥水に、例えばベントナイト微粉末を主成分とする添加剤を混入して、シールドチャンバー内で切羽の安定を保つように機能させると共に、この安定液とカッターにより削り取られた土砂とを攪拌混合し、スラリー化された状態で排泥管を介しシールドチャンバー内の泥水を外部に排出するようになっている。
【０００４】
また、排泥管においては、前述のスラリー化された土砂が排泥管内で沈殿しないように、排泥ポンプでシールドチャンバー内の泥水を取り出した後、トンネル内に所定間隔で配設した複数の中継ポンプにより中継し、泥水の流速を一定に保ちつつ、泥水を外部に排出するようにしている。
【０００５】
【発明が解決しようとする課題】
前記従来の泥水式シールド工法では、次のような問題があった。
【０００６】
まず、前記排泥管に配設される中継ポンプは、ポンプ圧力がそれ程大きくないため、通常、泥水を５００ｍ程度しか送ることができず、トンネルの距離が長くなると、中継ポンプの台数もそれだけ多く必要となり、設備費が増大するという問題があった。
【０００７】
また、シールド工法においては、シールド掘進機による掘進に伴い、シールドセグメントをシールド掘進機まで搬送して組み立てなければならず、このような場合、例えばトンネル径が４ｍ以下のように小径になると、トンネルの途中に中継ポンプがあると、中継ポンプが邪魔になって、シールドセグメントを大きくして搬送するのが困難となり、小さな状態で搬送しなければならず、それだけ、シールド掘進機内でのシールドセグメントの組み立てに時間がかかることとなるという問題があった。
【０００８】
さらに、トンネル内にガス配管などの配管を施す場合、トンネル径と配管径の差が小さくなると、中継ポンプが邪魔になって、シールド掘進中に配管を施すことができず、シールド掘進完了後に中継ポンプ等を撤去した後に配管を施さなければならず、それだけ、施工期間が長期化するという問題があった。
【０００９】
そしてさらに、トンネル内に中継ポンプがあると、シールド掘進と並行してトンネル内の二次覆工等の作業を行おうとしても、中継ポンプが邪魔になって二次覆工等の作業を並行させることができず、そのため、シールド掘進完了後に中継ポンプ等を撤去した後に二次覆工等の作業を行わなければならず、施工期間が長期化してしまうという問題があった。
【００１０】
本発明は、このような従来の課題に鑑みなされたもので、その目的は、排泥管の途中における中継ポンプを不要とし、トンネル内のシールド掘進領域後方に作業領域を確保し、トンネル径が小さい場合でも、シールドセグメントの搬送や、シールド掘進中の配管組み立て、あるいはシールド掘進中の二次覆工等の作業を可能にした泥水式シールド工法における排泥水の輸送方法およびトンネル施工方法を提供することにある。
【００１１】
【課題を解決するための手段】
請求項１記載の発明に係る泥水式シールド工法における排泥水の輸送方法にあっては、
送泥管を介してシールド掘進機のシールドチャンバーへ泥水を供給しつつ、排泥管を介して前記シールドチャンバー内の泥水を掘削土砂とともに排出してトンネルを掘削する泥水式シールド工法において、
前記排泥管の最も上流側に第１の排泥ポンプを配設し、
該第１の排泥ポンプの下流側に位置する後方台車上に第１の圧力調整タンクおよび大容量の高揚程ポンプを載置して前記排泥管に接続するとともに、
前記排泥管の立坑部分に第２の圧力調整タンクおよび第２の排泥ポンプを施設することにより、
前記大容量の高揚程ポンプより後方の坑内領域から中継ポンプを排除して排泥水を輸送することを特徴としている。
【００１２】
本発明によれば、排泥管に配設した大容量の高揚程ポンプにてシールドチャンバー内の泥水を排出することにより、トンネルの距離が長い場合でも大容量の高揚程ポンプにて泥水を外部に排出することができ、中継ポンプを用いることなく泥水を排出することができるため、中継ポンプの分だけ設備を少なくして設備費を削減することができ、しかも高揚程ポンプから後方の排泥経路を簡素化することが可能となる。
【００１３】
また、第１の発明の状態に加えて、大容量の高揚程ポンプをシールド掘進機側の排泥ポンプ下流位置に配設することにより、シールドチャンバー内の泥水を排泥ポンプにて取り出した後、この排泥ポンプから高揚程ポンプに泥水を一定して供給することが可能となる。
【００１４】
さらに、高揚程ポンプをシールド掘進機付近に配設される各種設備設置用の後方台車上に載置し、この後方台車より後方の坑内には排泥管のみを配設して泥水を輸送することにより、後方台車より後方の坑内スペースを有効に活用することができ、後方台車の後方に作業領域を確保することが可能となる。
【００１５】
そしてさらに、シールド掘進機側の排泥ポンプと高揚程ポンプとの間および立坑内の排泥ポンプ上流位置にそれぞれ圧力調整タンクを配設することにより、高揚程ポンプによる泥水の輸送区間における泥水の脈動を吸収し、脈動により生じる排泥ポンプのキャビテーション等の不具合をなくすことができる。
【００１６】
請求項２記載の発明に係る泥水式シールド工法における排泥水の輸送方法にあっては、
前記高揚程ポンプを複数並列に配設することを特徴としている。
【００１７】
本発明によれば、請求項１の状態に加えて、高揚程ポンプを複数並列に配設することにより、より大容量の泥水を排出することが可能となる。
【００１８】
請求項３記載の発明に係る泥水式シールド工法における排泥水の輸送方法にあっては、
前記第１の排泥ポンプ、第２の排泥ポンプ、あるいは高揚程ポンプの少なくともいずれかのポンプの下流位置の排泥管に流速計を配設し、該流速計の検出結果に基づいて、対応する前記いずれかのポンプの吐出圧を制御して前記流速計配設位置の排泥水の流速が一定となるようにしたことを特徴としている。
【００１９】
本発明によれば、請求項１または２の状態に加えて、いずれかのポンプの下流位置の排泥管に流速計を配設し、そのポンプを一定流速になるように制御することにより、泥水中の土砂の沈澱を防止して、安定した排泥状態を得ることが可能となる。
【００２０】
請求項４記載の発明に係るトンネル施工方法にあっては、
中継ポンプを排除した前記高揚程ポンプ後方の坑内領域に資材搬送空間を確保し、この資材搬送空間を用いて資材を搬送することを特徴としている。
【００２１】
本発明によれば、高揚程ポンプ後方の坑内に資材搬送空間を確保することにより、資材の搬送を容易にすることができ、しかも大型の資材、例えば大型のセグメントピースなどを容易に搬送することが可能となる。
【００２２】
請求項５記載の発明に係るトンネル施工方法にあっては、
中継ポンプを排除した前記高揚程ポンプ後方の坑内領域に配管搬送空間および配管空間を確保し、この配管搬送空間を用いて配管を搬送すると共に、配管空間を用いて搬送した配管をトンネルの掘削と同時進行させて接続することを特徴としている。
【００２３】
本発明によれば、高揚程ポンプ後方の坑内に配管搬送空間および配管空間を確保することにより、トンネルの掘削と同時進行させて配管の接続を行うことが可能となり、したがって、トンネルの掘削完了と同時に配管の接続を完了させることができ、トンネルの掘削完了後に配管工事を行う場合に比し、大幅に施工期間を短縮することが可能となる。
【００２４】
請求項６記載の発明に係るトンネル施工方法にあっては、
中継ポンプを排除した前記高揚程ポンプ後方の坑内領域に二次覆工作業空間を確保し、この二次覆工作業空間を用いてトンネルの掘削と並行して二次覆工施工を行うことを特徴としている。
【００２５】
本発明によれば、高揚程ポンプ後方の坑内に二次覆工作業空間を確保することにより、トンネルの掘削と並行して二次覆工施工を行うことができ、トンネルの掘削完了後に二次覆工策を行う場合に比し、大幅に施工期間を短縮させることができる。
【００２６】
特に、請求項４〜６の発明に係るトンネル施工方法にあっては、トンネル径が４ｍ以下の小径の場合に、高揚程ポンプ後方の坑内空間を有効に活用することができ、シールドセグメントの搬送やトンネル掘削中の配管接続、あるいは二次覆工等の作業を容易に行うことができる。
【００２７】
【発明の実施の形態】
以下、本発明の好適な実施の形態について、図面を参照しつつ詳細に説明する。
【００２８】
図１は、本発明の一実施の形態に係る泥水式シールド工法の概略を示す図である。
【００２９】
この泥水シールド工法においては、シールド掘進機１０の前部に隔壁１２を設け、この隔壁１２の切羽１４側に、トンネル坑内１６と隔絶された密閉空間をシールドチャンバー１８として形成している。
【００３０】
また、シールドチャンバー１８には、送泥管２０および排泥管２２が接続され、地上に設けられた泥水処理ポンプ２４から、図示せぬ送泥ポンプを用いて泥水を送泥管２０を介してシールドチャンバー１８に供給する。この泥水が、シールドチャンバー１８内において安定液として機能するよう、泥水処理プラント２４から送り出される泥水には、例えばベントナイト微粉末等を主成分とする添加剤が混入される。
【００３１】
泥水処理プラント２４では、シールドチャンバー１８内から排泥管２２を介して戻ってくる泥水から土砂分を取り除き、比重、粘性などを調整するなどの各処理を施した後、送泥管２２に供給されるようになっている。
【００３２】
また、切羽１４の掘削は、図示せぬ駆動装置により回転駆動される回転式カッター２６によって行われる。この回転式カッター２６は、シールド掘進機１０の先端に取り付けられ、このシールド掘進機１０がシールドジャッキ２８により切羽１４の掘削に応じて前方に推進され、一定距離シールド掘進が進んだ状態でシールド掘進機１０の後部でシールドセグメント３０を組み立てていくことにより、トンネルを構築していくようになっている。
【００３３】
さらに、シールド掘進機１０は、地上より掘削形成したシールド発進用の立坑３２より、後部に運転パワーユニット台車３４、ポンプ台車３６、トランス台車３８、さらには伸縮管台車４０などの後方台車を連結した状態で掘進していく状態となっている。なお、このシールド掘進機１０から後方台車までの距離は、例えば１５０ｍ〜１８０ｍ程度であり、この後方台車までの間はシールド掘進用の作業領域として用いられるようになっている。
【００３４】
そして、前記回転式カッター２６によって削り取られた土砂は、シールドチャンバー１８内に取り込まれ、取り込まれた土砂はシールドチャンバー１８内において安定液として機能する泥水と攪拌され、スラリー化された泥水として排泥管２２を介して地上の泥水処理プラント２４に排出されるようになっている。
【００３５】
排泥管２２においては、シールドチャンバー１８内でスラリー化された土砂が排泥管２２内で沈澱しないように、十分な圧力でかつ一定の流速で泥水処理プラント２４まで排出する必要がある。
【００３６】
そこで、図２に示すように、排泥管２２の途中でトンネル内の位置に送泥ポンプ４２および大容量の高揚程ポンプ４４を配設すると共に、立坑３２内に排泥ポンプ４６を配設し、これら排泥ポンプ４２，４６および高揚程ポンプ４４にて泥水を泥水処理プラント２４まで輸送するようにしている。シールド掘進機１０側の排泥ポンプ４２と高揚程ポンプ４４との間には圧力調整タンク４８が配設され、また立坑３２内の排泥ポンプ４６の上流側位置にも圧力調整タンク５０が配設されるようになっている。また、トンネル内の排泥ポンプ４２，圧力調整タンク４８および高揚程ポンプ４４は、図１に示すポンプ台車３６上に載置されるようになっている。
【００３７】
この高揚程ポンプ４４は、図３ＡおよびＢに示すように、ポンプ台車３６上で、シールドセグメント３０の縦断面左縦半分の範囲に収まるように配設され、他方の残り縦半分部分はセグメントピース等の資材をシールド掘進機１０側に搬送するためのスペースとして残されるようになっている。また、この高揚程ポンプ４４は、図４に示すように、真空のドラム９０内に配したチューブ９２をロータ９４に取り付けられた２個のローラ９６で圧縮することにより、泥水を吐出させる真空スクイーズ式ポンプが採用され、小型で大容量の搬送が可能なものとなっている。さらに、この高揚程ポンプ４４は、図２に示すように、２個並列に配設され、より大容量の泥水の搬送が可能な状態とされている。
【００３８】
また、２つの高揚程ポンプ４４は、図８に示すように、各高揚程ポンプ４４の吐出圧の位相Ａ，Ｂを１８０度ずらすことにより、それぞれの高揚程ポンプ４４の吐出圧の上限と下限を一致させて、吐出圧の脈動を抑え、吐出圧を一定にするようにしている。なお、この高揚程ポンプ４４は、例えば圧力が１８〜１９ｋｇ／ｃｍ２  程度のもので、泥水の管内沈澱限界速度と排泥管２２の抵抗損失を考慮した状態で２４００ｍ程度の距離を搬送できる能力のものとされている。したがって、この高揚程ポンプ４４から立坑３２内の排泥ポンプ４６までの距離が２４００ｍ以内であれば、中継ポンプを用いることなく、泥水を立坑３２まで搬送することが可能である。
【００３９】
また、排泥ポンプ４２と高揚程ポンプ４４との間および立坑３２内の排泥ポンプ４６の上流側位置に配した圧力調整タンク４８，５０によって、高揚程ポンプ４４による搬送区間内の圧力差を吸収することにより排泥ポンプ４２，４６が圧力差によってキャビテーション等の不具合を起こすのを防止するようにしている。
【００４０】
この圧力調整タンク４８，５０は、解放タンクまたは空気圧制御タンクを備え、排泥管２２内の圧力が上昇した場合には解放タンクまたは空気圧制御タンクから空気圧を逃がすようにしている。また、空気圧制御タンクを用いる場合には、圧力が下降した場合に空気圧制御タンクの圧力を増加することにより、早期に圧力を上げるようになっており、特に圧力調整タンク４８の場合には、シールドチャンバー１８内の圧力変動に対しても作用させることも可能である。
【００４１】
さらに、図２に示すように排泥管２２には、排泥ポンプ４２，高揚程ポンプ４４，立坑３２内の排泥ポンプ４６のそれぞれの下流位置に泥水の流速を検出する流速計５２を配設し、この流速計５２の検出結果に基づいてそれぞれ対応する排泥ポンプ４２，高揚程ポンプ４４，立坑３２内の排泥ポンプ４６を制御し、泥水が管内沈澱限界速度以上の一定の流速を保ち得るようにしている。
【００４２】
また、本実施例におけるトンネルは、ガス配管を行うためのもので、シールドセグメント３０の直径が４ｍ以下の比較的小さな断面のものとなっており、シールドセグメント３０の内径とガス配管の外径との差が小さくなると、シールド掘進とガス配管の接続とを並行しようとする場合、シールドセグメント３０内にガス配管の配管の搬送スペースと、ガス配管の接地スペースが必要となるため、シールドセグメント３０内に中継ポンプを配設していると、ガス配管の設置スペースが中継ポンプにより取られてしまうため、ガス配管の接続ができなくなってしまう。
【００４３】
そこで、前述の高揚程ポンプ４４より後方の坑内領域から中継ポンプを排除して、高揚程ポンプ４４の後方、具体的には、伸縮管台車４０の後方に、図５に示すように、配管搬送空間５４および配管空間５６を確保し、この配管搬送空間５４を用いてガス配管５８を搬送すると共に、配管空間５６を用いて搬送したガス配管５８をトンネルの掘削と同時進行させて接続するようにしている。
【００４４】
具体的には、図５に示すようにシールドセグメント３０の縦断面右縦半分の空間を配管搬送空間５４とし、その下部にレール架台６０を設置し、このレール架台６０上にレール６２を敷設すると共に、このレール６２上を搬送台車６４にてガス配管５８を所定位置まで搬送し得るようしている。この搬送台車６４には、図５および図６に示すようにスライド管止め装置６６および横移動装置６８が備え付けられ、これらスライド管止め装置６６および横移動装置６８によりガス配管５８を固定した状態で所定位置まで搬送し、所定位置でスライド管止め装置６６を解除し、横移動装置６８を配管空間５６側へ移動させることにより、ガス配管５８を搬送台車６４上より配管空間５６側へと移動させることができるようになっている。
【００４５】
また、配管空間５６は、図５に示すように、シールドセグメント３０の縦断面左縦半分の空間に形成され、その下部には、搬送台車６４の上面よりも若干低い高さで配管架台７０を設置し、搬送台車６４からのガス配管５８を載置できるようになっている。なお、配管架台７０の上面には、ストッパ７２が設けられ、ガス配管５８を所定の位置で位置決めできるようになっている。
【００４６】
そして、配管架台７０上に搬送設置したガス配管５８を、図７に示すように既に接続の終了したガス配管５８とインターナルクランプ７４にて仮固定し、自動溶接機７６の溶接ヘッド７８をガス配管５８の接続部外周を移動させてガス配管５８同志を接続し、これら一連の作業をシールド掘進作業と同時に進行させていくことにより、シールド掘進からガス配管５８の接続までの作業をシールド掘進完了時に完了させることが可能となる。
【００４７】
なお、シールド掘進が完了した時点では、伸縮管台車４０からシールド掘進機１０までの間は、まだガス配管５８の接続作業は完了していないが、伸縮管台車４０から先のシールド掘進機１０までのガス配管５８の接続作業は、シールド掘進機１０等の解体作業と並行させて行うことにより、施工の待ち時間をなくして、効率よく作業を行うことが可能である。
【００４８】
次に、シールド掘進とガス配管工事を同時施工した場合の工期と通常施工の場合の工期とを、図９に示す。
【００４９】
まず、この施工においては、３０００ｍのトンネルを掘削し、そのトンネルの中に同様の長さのガス配管を施す場合を示している。
【００５０】
まず、通常施工においては、発進準備、段取替え、解体に要する期間が２５日、１日７．５ｍのシールド掘進として３０００ｍを掘進するのに要する日数が５２０日、１日１８ｍのガス配管の接続を３０００ｍ行う場合に要する日数が２１７日とすると、合計で７６２日かかることとなる。
【００５１】
これに対し、シールド掘進とガス配管工事を同時に施工する場合には、発進準備、段取替え、解体に要する日数として２５日、１日に７．５ｍのシールド掘進を３０００ｍ行う場合の日数は５２０日、このシールド掘進と並行して坑内整備工、ガス配管工事を行う場合において、シールド掘進後２００ｍのガス配管工事が必要として、１日１８ｍのガス配管接続工事を行うのに要する日数が１５日となり、合計で５６０日でシールド掘進およびガス配管工事が完了することとなる。
【００５２】
したがって、シールド掘進およびガス配管工事を同時施工する場合には、通常施工に比べて、施工期間が２０２日短縮できることとなる。これによって、大幅な施工期間の短縮と大幅なコストの削減が可能となるものである。
【００５３】
図１０には本発明の他の実施の形態を示す。
【００５４】
この実施の形態では、矩形断面のシールド掘進機を用いてトンネルを掘削し、矩形断面のシールドセグメント８２を構築する場合を示している。このような矩形断面のシールドセグメント８２においても、シールドセグメント８２の内径とその中に配設しようとするガス配管５８の外径との差が小さい場合には、中継ポンプがあるとシールド掘進と同時にガス配管５８の接続作業ができない。そのため、高揚程ポンプ後方の坑内から中継ポンプを排除し、中継ポンプ後方の坑内に図中右半分の空間に配管搬送空間５４を形成し、左半分の空間に配管空間５６を形成することにより、シールド掘進と同時にガス配管の接続作業を進行させることを可能とし、施工期間の短縮化を図っている。
【００５５】
図１１には、高揚程ポンプの他の実施の形態としてピストンポンプを示す。
【００５６】
このピストンポンプ１００は、ポンプ台車１０２上に設置されたもので、オイルタンク１０４内のオイルをモータ１０６にてシリンダ１０８内に供給し、シリンダ１０８内の図示せぬピストンを作動させることにより、泥水を吐出し得るようになっている。また、シリンダ１０８は並列に２本配設され、大容量の泥水の搬送が可能な状態となっている。
【００５７】
大容量の高揚程ポンプとしては、前記スクイーズ式ポンプおよびピストンポンプの他、図示せぬが、プランジャ式、スネーク式その他の大容量の高揚程ポンプを使用することも可能である。
【００５８】
他の構成および作用は、前記実施の形態と同様につき説明を省略する。
【００５９】
本発明は、前記各実施の形態に限定されるものではなく、本発明の要旨の範囲内において種々の実施の形態に変形することが可能である。
【００６０】
例えば、前記実施の形態においては、立坑内に排泥ポンプを配設した場合について説明したが、大容量の高揚程ポンプによる搬送が可能であれば、前記排泥ポンプを用いることなく、泥水処理プラント間で高揚程ポンプにて泥水を搬送することも可能である。
【００６１】
また、２つの排泥ポンプおよび高揚程ポンプのすべてのポンプに流速計を取り付けるようにしているが、この例に限らず、少なくともいずれかのポンプ１つに流速計を取り付けて流速を制御することも可能である。
【００６２】
さらに、前記実施の形態においては、高揚程ポンプ後方の坑内に配管搬送空間および配管空間を確保した場合について説明したが、この例に限らず、例えば、高揚程ポンプ後方の坑内に資材搬送空間を確保し、この資材搬送空間を用いて資材を搬送すること、あるいは高揚程ポンプ後方の坑内に、二次覆工作業空間を確保し、この二次覆工作業空間を用いてトンネルの掘削と並行して二次覆工施工を行うことも可能である。これにより、大きな状態でセグメントピースを搬送したり、トンネル掘削完了と同時に二次覆工を完了させたりすることが可能となる。
【図面の簡単な説明】
【図１】本発明の一実施の形態に係る泥水式シールド後方を示す概略断面図である。
【図２】本発明の一実施の形態に係る排泥水の輸送方法を示す断面図である。
【図３】（Ａ）は高揚程ポンプ設置部分のトンネルの断面図であり、（Ｂ）は高揚程ポンプの側面図である。
【図４】高揚程ポンプの断面図である。
【図５】配管搬送空間および配管空間を示すトンネルの断面図である。
【図６】図５の搬送台車の底面図である。
【図７】自動溶接機を用いたガス配管の溶接状態を示す側面図である。
【図８】２台の高揚程ポンプの位相状態を示す図である。
【図９】シールド掘進とガス配管工事を同時施工した場合と、通常施工の場合との施工工期の比較図である。
【図１０】矩形断面のシールド掘進機を用いて構築したトンネル内にガス配管を行う場合の断面図である。
【図１１】本発明の高揚程ポンプの他の実施の形態を示す側面図である。
【符号の説明】
１０  シールド掘進機
１６  トンネル坑内
１８  シールドチャンバー
２０  送泥管
２２  排泥管
３２  立坑
３４  運転パワーユニット台車
３６  ポンプ台車
３８  トランス台車
４０  伸縮管台車
４２，４６  排泥ポンプ
４４  高揚程ポンプ
４８，５０  圧力調整タンク
５２  流速計
５４  配管搬送空間
５６  配管空間
５８  ガス配管
【図１】
0003604208.tif 000002
【図２】
0003604208.tif 000003
【図３】
0003604208.tif 000004
【図４】
0003604208.tif 000005
【図５】
0003604208.tif 000006
【図６】
0003604208.tif 000007
【図７】
0003604208.tif 000008
【図８】
0003604208.tif 000009
【図９】
0003604208.tif 000010
【図１０】
0003604208.tif 000011
【図１１】
0003604208.tif 000012